(57)【要約】  追加情報信号の無線送信のための送信機が提供され、他の送信機から発せられる無線送信されたプライマリ情報信号のガードインターバルにおいて送信時間に対応する制御信号に応じた追加情報信号を送信するように構成され、送信機は、プライマリ情報信号のガードインターバルにおいて送信時間で追加情報信号を無線送信するように適合されている。さらに、送信および受信するための方法、対応する受信機、およびコンピュータプログラム製品は、本開示の主題である。
2020530668.tif 000002
【特許請求の範囲】
【請求項１】
追加情報信号の無線送信のための送信機であって、
前記送信機は、制御信号に応じて前記追加情報信号を送信するように構成され、
前記制御信号は、他の送信機から発せられ無線送信されたプライマリ情報信号のガードインターバルにおいて送信時間に対応し、
前記送信機は、前記プライマリ情報信号の前記ガードインターバルにおいて前記送信時間で前記追加情報信号を無線送信するように構成されている、
送信機。
【請求項２】
前記送信機は、前記追加情報信号が前記プライマリ情報信号の前記ガードインターバルにおいて前記送信時間で送信されるように、前記プライマリ情報信号を受信して処理し、前記送信時間に対応する前記制御信号を導出する処理部を有する、請求項１に記載の送信機。
【請求項３】
前記送信機は、前記プライマリ情報信号および前記追加情報信号の一部分から構成された合成情報信号を送信するように構成され、
前記送信機は、前記プライマリ情報信号の前記ガードインターバルにおいて前記追加情報信号を送信するように構成されている、請求項１または２に記載の送信機。
【請求項４】
前記送信機は、外部制御信号を受信するためのインタフェースを有し、
前記追加情報信号が前記プライマリ情報信号の前記ガードインターバルにおいて前記送信時間で送信されるように、前記外部制御信号は前記プライマリ情報信号の前記ガードインターバルにおいて記送信時間に対応する、請求項１から３のいずれか一項に記載の送信機。
【請求項５】
前記送信機は、前記プライマリ情報信号の前記ガードインターバルにおいて少なくとも１つの補助信号を送信するように構成され、
前記補助信号は、受信機側での前記追加情報信号の導出、処理または認識を向上するように設計されている、請求項１から４のいずれか一項に記載の送信機。
【請求項６】
前記追加情報信号および前記プライマリ情報信号は、さらに、特に、ＯＦＤＭベースシステム、ＤＶＢ−Ｔ規格、ＬＴＥ規格、ＷｉＦｉ／無線ＬＡＮ規格またはＤＡＢ規格において、基本的に同じ周波数範囲である、請求項１から５のいずれか一項に記載の送信機。
【請求項７】
追加情報信号の無線送信のための方法であって、
前記方法は、
制御信号に応じて前記追加情報信号を無線送信することを含み、
前記制御信号は、プライマリ情報信号のガードインターバルにおいて送信時間で、前記制御信号に応じて前記追加情報信号を送信するように、無線送信された前記プライマリ情報信号の前記ガードインターバルにおいて前記送信時間に対応する、方法。
【請求項８】
前記方法は、
前記プライマリ情報信号を受信および処理する段階と、
前記プライマリ情報信号の前記ガードインターバルにおいて前記送信時間において、前記制御信号に応じて前記追加情報信号を無線送信するために、前記プライマリ情報信号から前記ガードインターバルに対応する前記制御信号を導出する段階と、
を含む請求項７に記載の方法。
【請求項９】
前記方法は、
前記プライマリ情報信号を処理する段階と、
前記プライマリ情報信号および前記追加情報信号の一部分から新たな情報信号を準備して送信する段階と、を含み、
前記プライマリ情報信号の前記ガードインターバルにおいて前記追加情報信号を送信することが想定される、請求項７または８に記載の方法。
【請求項１０】
前記方法は、
外部制御信号を受信する段階を含む、
請求項７または８に記載の方法。
【請求項１１】
前記方法は、
補助信号を送信する段階を含み、
前記補助信号は、受信機側での前記追加情報信号の処理または認識を向上するように設計される、
請求項７から１０のいずれか一項に記載の方法。
【請求項１２】
請求項７から１１のいずれか一項に記載の方法を実行するように構成された装置であって、
リピータ、電話機、スマートフォン、ノートパソコン、タブレットＰＣ、無線機、ルーター、ＷｉＦｉ／無線ＬＡＮルーター、ゲートウェイ装置、または、ケーブルテレビジョンヘッドエンドである、
装置。
【請求項１３】
追加情報信号およびプライマリ情報信号を無線受信するための受信機であって、
前記追加情報信号が前記プライマリ情報信号のガードインターバルにおいて配置されている、
受信機。
【請求項１４】
前記受信機は、
前記プライマリ情報信号の前記ガードインターバルにおいて前記追加情報信号の補助信号を処理するように構成され、
前記補助信号は、受信機側での前記追加情報信号の導出、認識または処理を向上させるように設計されている、
請求項１３に記載の受信機。
【請求項１５】
前記追加情報信号および前記プライマリ情報信号は、特に、ＯＦＤＭベースシステム、ＤＶＢ−Ｔ規格、ＬＴＥ規格、ＷｉＦｉ／無線ＬＡＮ規格またはＤＡＢ規格に従って、実質的に同じ周波数範囲に存在する、請求項１３または１４に記載の受信機。
【請求項１６】
前記受信機は、
前記追加情報信号及び／または前記プライマリ情報信号を選択するためのスイッチを有し、
前記スイッチは、特に、バーチャルスイッチとして、少なくとも部分的にハードウェア要素及び／またはソフトウェア要素から構成され、
前記受信機は、具体的にはテレビ、スマートＴＶ、ＨｂｂＴＶ、電話機、携帯電話、スマートフォン、ノートパソコン、タブレットＰＣ、スマートウォッチ、または、無線機である、
請求項１３から１５のいずれか一項に記載の受信機。
【請求項１７】
追加情報信号の無線送信のための方法であって、前記方法は、
前記追加情報信号および無線送信されたプライマリ情報信号を受信して導出する段階であって、前記追加情報信号は、前記プライマリ情報信号のガードインターバルにおいて配置される、段階と、
前記追加情報信号及び／または前記プライマリ情報信号を検出して処理する段階と、を含む、
方法。
【請求項１８】
前記方法は、
補助信号を受信して処理する段階を更に含み、
前記補助信号は、前記追加情報信号の導出、認識または処理の向上のため、前記追加情報信号に割り当てられ、前記プライマリ情報信号の前記ガードインターバルにおいて配置される、
請求項１７に記載の方法。
【請求項１９】
前記方法は、
処理のために前記追加情報信号及び／または前記プライマリ情報信号を選択するためのスイッチを提供する段階を含む、
請求項１７または１８に記載の方法。
【請求項２０】
追加情報信号の無線送信のための方法であって、前記方法は、
前記追加情報信号および無線送信されたプライマリ情報信号を受信して導出する段階であって、前記追加情報信号は、前記プライマリ情報信号のガードインターバルにおいて配置される、段階と、
前記追加情報信号及び／または前記プライマリ情報信号を検出して処理する段階と、を含む、
方法。
【請求項２１】
請求項７から１１、または１７から２０のいずれか一項に記載の方法をコンピュータに実行させるためのコンピュータプログラム。
【発明の詳細な説明】
【技術分野】
【０００１】
導入  本発明は、他の無線送信されたプライマリ情報信号のガードインターバルにおいて追加情報信号を無線で送信および受信するための送信機、方法、装置、受信機およびコンピュータ製品に関する。
【０００２】
情報信号の無線送信は関連技術分野で公知である。  また、ガードインターバルは、受信機での情報信号の受信品質への悪影響を弱めるために情報信号の無線送信において使用できることが知られている。そのような悪影響は、特に、マルチ送信機システムの無線送信におけるランタイム差に由来する干渉、反射またはエコー現象に起因するとしてよい。
【０００３】
本発明は、追加情報信号の無線送受信が全体のペイロードデータレートを増大させることを可能にすることに関する。
【０００４】
第１の態様によれば、本発明は、追加情報信号の無線送信のための送信機を提供し、送信機は、無線送信されたプライマリ情報信号のガードインターバルにおいて送信時間に対応する制御信号に応じて追加情報信号を送信するように構成され、プライマリ情報信号は、他の送信機から発せられ、本発明による送信機は、プライマリ情報信号のガードインターバルにおいて送信時間で追加情報信号を無線送信するように適合される。本発明によれば、追加情報信号の送信は、ガードインターバル、または、プライマリ情報信号内に配置されたガードインターバルの重ね合わせによって行われる。この件において、「プライマリ情報信号」という用語は、１または複数の送信機によって無線送信され、送信機側がガードインターバルを使用するところの全ての種類の情報信号を意味することを意図している。本発明による送信機は、他の情報信号のガードインターバルの重複時間に応じた追加情報信号を送信するように構成され、参照しやすいように、この明細書において他の情報信号は「プライマリ情報信号」と表す。ここで、追加情報信号を送信するための送信時間は、プライマリ情報信号のガードインターバルに対応する。本発明による送信機は、このため、追加情報信号を送信するために、プライマリ情報信号のガードインターバルの発生時間に対応する制御信号が処理および使用されるように、構成されている。したがって、本発明による送信機は、追加情報信号を送信するための制御信号インタフェースを有し、制御信号はプライマリ情報信号のガードインターバルの発生時間によって決まる。ガードインターバルという用語は、技術文献では定義が異なるので、わかりやすくするために、以下に規定される。本発明によるガードインターバルという用語は、情報信号またはプライマリ情報信号に含まれる時間ウィンドウに言及し、プライマリ情報信号の受信を向上させるためのプライマリ情報信号のシンボル間のスペーサとして使用される。ガードインターバルは、あらゆるシンボルまたは信号成分を全く含まなくてもよく、または、信号要素の一部を含んでもよい。
【０００５】
本発明の上記の第１の態様は、追加情報信号は、リザーブを有するガードインターバルとでエリアにブロードキャストされ得るという利点を提供する。結果として、データスループットは、有利な方法で増加される。さらに、リソースとしての周波数スペクトルが影響を受けないままであるか、または、より良く使用されるように、追加の周波数範囲の使用に代えて、プライマリ情報信号と同じ周波数範囲がより十分に利用される。リザーブという用語は、プロビジョニングされた、または、今後のガードインターバルが、場所的または時間的に大き過ぎてもよいことを意味する。本発明にしたがって、既存のリザーブはより良い方法で利用できる。
【０００６】
本発明の別の態様によれば、送信機は、追加情報信号がプライマリ情報信号のガードインターバルにおいて送信時間で送信されるように、プライマリ情報信号を受信して処理し、送信時間に対応する制御信号を導出する処理部を有する。この場合、プライマリ情報信号の処理は、プライマリ情報信号において組み込まれたガードインターバルを検出して、それに基づいて、時間内での追加情報信号の送信を決定する制御信号を導出するために実行される。
【０００７】
また、本発明によれば、プライマリ情報信号および追加情報信号の一部分から構成された情報信号を送信するように構成された送信機が提案され、この送信機は、プライマリ情報信号のガードインターバルにおいて追加情報信号を送信するように適合されている。この場合、プライマリ情報信号のペイロード、具体的にはシンボル、好ましくは、プライマリ情報信号から導出され、合成情報信号として追加情報信号と一緒に送信される。これによって、送信機によって追加情報信号だけでなく、プライマリ情報信号のシンボルもまたブロードキャストされるので、新たな信号が生成され送信される。
【０００８】
本発明の更なる態様において、送信機は、外部制御信号を受信するためのインタフェースを有し、追加情報信号がプライマリ情報信号のガードインターバルにおいて送信時間で送信できるように、外部制御信号はプライマリ情報信号のガードインターバルにおいて送信時間に対応する。本発明による送信機には、外部制御信号が供給され、送信機それ自身は、プライマリ情報信号を受信および処理することによってガードインターバルを検出しない。これは、制御信号の意図的な提供が実行され、また、プライマリ情報信号を送信する送信機との結合が実現され得る利点を有する（特に、単一の初期送信機の場合に関係がある）。さらに、プライマリ情報信号を送信する送信機は、指向性信号を送信することもでき、本発明による送信機が同期して追加情報信号を送信することを可能とする。
【０００９】
本発明の更なる態様において、送信機はプライマリ情報信号のガードインターバルにおいて少なくとも１つの補助信号を発するように構成され、補助信号は、受信機側での追加情報信号の受信、処理または認識を向上させるように設計されている。ここで、補助信号は、追加情報信号の受信品質の向上を可能にすることが想定される。この目的で、既知の技術であり、サイクリックプレフィックス（ＣＰ）または他の種類の信号等の既知の技術が使用できる。
【００１０】
本発明によれば、追加情報信号およびプライマリ情報信号は、さらに、特に、ＤＶＢ−Ｔ規格、ＬＴＥ規格、ＷｉＦｉ／無線ＬＡＮ規格またはＤＡＢ規格のようなＯＦＤＭベースシステムにおいて、実質的に同じ周波数範囲である。本発明では、追加情報信号およびプライマリ情報信号が同じまたは隣接する周波数範囲に存在しないけれども、追加情報信号とプライマリ情報信号との間で所望されない相互干渉が一般的に起きるコンスタレーションに対しても、使用できるので、追加情報信号およびプライマリ情報信号は同じ周波数範囲であると仮定する。
【００１１】
さらに、本発明によれば、追加情報信号の無線送信のための方法が提案され、この方法は、制御信号に応じて追加情報信号を無線送信する段階を含み、制御信号は、制御信号に応じて追加情報信号を送信するように、無線送信されたプライマリ情報信号のガードインターバルにおいて送信時間に対応する。前述の方法は、プライマリ情報信号を受信して処理し、所望の送信時間において制御信号に応じて追加情報信号を無線送信するように、プライマリ情報信号からガードインターバルに対応する制御信号を導出する段階を更に含んでもよい。さらに、前述の方法は、外部制御信号を受信する段階を含んでもよい。さらに、関連する変形例および代替例を含む前述の方法は、補助信号を送信する段階を含んでもよく、補助信号は、受信機側での追加情報信号の処理または認識を向上させるように設計されている。さらに、上記の方法の一つを実行するように構成された装置が提案され、具体的には、装置は、リピータ、電話機、スマートフォン、ノートパソコン、タブレットＰＣ、無線機、ルーター、ＷｉＦｉ／無線ＬＡＮルーター、ゲートウェイ装置、または、ケーブルテレビジョンヘッドエンドである。
【００１２】
本発明の更なる態様において、追加情報信号およびプライマリ情報信号を無線で受信する受信機が提案され、本発明に係る追加情報信号は、プライマリ情報信号のガードインターバルにおいて配置されている。
【００１３】
さらに有益な点として、受信機は、プライマリ情報信号のガードインターバルにおいて追加情報信号の補助信号を処理するように適合され、補助信号は、受信機側での追加情報信号の導出、認識または処理を向上させるように構成されている。
【００１４】
さらに有益な点として、追加情報信号およびプライマリ情報信号は、さらに、特に、ＤＶＢ−Ｔ規格、ＬＴＥ規格、ＷｉＦｉ／無線ＬＡＮ規格またはＤＡＢ規格のようなＯＦＤＭベースシステムにおいて、実質的に同じ周波数範囲に存在する。
【００１５】
さらに有益な点として、受信機は、追加情報信号及び／またはプライマリ情報信号を選択するためのスイッチを有し、スイッチは、少なくとも部分的にハードウェア要素及び／またはソフトウェア要素から構成され、受信機は、具体的にはテレビ、スマートＴＶ、ＨｂｂＴＶ、電話機、携帯電話、スマートフォン、ノートパソコン、タブレットＰＣ、スマートウォッチ、または、無線機である。スイッチは、例えば、スクリーン上に表示される、メニュー項目とすることができ、ボタンまたはタッチセンサを用いて操作可能でもよい。
【００１６】
更に、本発明によれば、方法は、無線送信された追加情報信号を受信するために提案され、方法は、追加情報信号および無線送信されたプライマリ情報信号を受信して導出する段階であって、追加情報信号はプライマリ情報信号のガードインターバルにおいて配置される、段階と、追加情報信号及び／またはプライマリ情報信号を処理して検出する更なる段階と、を含む。
【００１７】
更に、本発明によれば、方法は、補助信号を受信して処理する更なる段階とともに提案され、補助信号は、追加情報信号の導出、認識または処理の向上のため、追加情報信号に割り当てられ、プライマリ情報信号のガードインターバルにおいて配置される。これは、上記の補助信号は、追加情報信号の導出、認識または処理に貢献し、具体的にこの目的のために生成され送信されることを意味する。
【００１８】
更に、方法は、処理のために追加情報信号及び／またはプライマリ情報信号を選択するためのスイッチを提供する段階とともに提供される。本発明に係るスイッチは、具体的には、受信機において、プライマリ情報信号及び／または追加情報信号を導出、認識または処理することを選択することを可能とする。
【００１９】
本発明の別の態様によれば、ここで提案された方法の一つに応じた方法を実装する機械可読媒体で具現化されるコンピュータプログラム製品が提供され、方法の一つが実行される。
【００２０】
対応するシンボルがプライマリ情報信号から導出される得ることが確実である限り、レガシー装置によってもプライマリ情報信号は処理可能であるので、好ましいことに、本発明にしたがって送信された情報信号を処理するための新たな装置、および、本発明の技術を備えていないレガシー装置の両方とも、対応する信号を処理できるという利点がある。さらに、本発明に係る装置は、プライマリ情報信号および追加情報信号の両方を処理できる。以下では、図を参照してより詳細に本発明を説明する。
【図面の簡単な説明】
【００２１】
【図１】先行技術に係るプライマリ情報信号または送信された情報信号の時間的構造を示す。
【図２】ガードインターバルを用いた先行技術によるプライマリ情報信号の更なる時間的構造を示す。
【図３】ガードインターバルを用いた先行技術による２つのプライマリ情報信号の同期式伝送の時間的構造を示す。
【図４】図３と同様に、ガードインターバルを用いた先行技術による２つのプライマリ情報信号のタイムシフト送信および受信の時間的構造を示す。
【図５】図４に基づいて、先行技術による２つのプライマリ情報信号のタイムシフト送信および受信の時間的構造を示し、追加時間ウィンドウは、本発明に係る追加情報信号の送信のために、プライマリ情報信号のガードインターバルにおいて配置されている。
【図６】追加情報信号を送信するための実施形態を示す。
【図７】追加情報信号を送信するための追加の実施形態を示す。
【図８】追加情報信号を送信するための追加の実施形態を示す。
【図９】追加情報信号を送信するための実施形態を示す。
【図１０】追加情報信号を送信するための本発明による第１代替送信機Ａｌｔ．１および第２代替送信機Ａｌｔ．２を示す。
【図１１】追加情報信号を送信するための本発明による送信機の第１代替例を示し、当該送信機は建物の内部に配置されている。
【００２２】
【図１２】受信されたプライマリ情報信号および追加情報信号を処理するための本発明による受信機の構造を概略的に示す。
【発明を実施するための形態】
【００２３】
図１は、先行技術によるプライマリ情報信号の時間的構造を示す。この場合、プライマリ情報信号は、時間的に連続して発生し、順々に送信されるシンボルＳ１、Ｓ２、Ｓ３から構成される。図１は更に３つのタイムスロットＴＳを示し、シンボルＳ１前、シンボルＳ１，Ｓ２間、およびシンボルＳ２，Ｓ３間である。タイムスロットＴＳは、２つのシンボル間に配置され、シンボルＳ１前のタイムスロットＴＳは、完全性のためにだけ示され、シンボルＳ１の前に他のシンボルが配置されている場合、技術的な説明を提供するだけである。図示されたタイムスロットＴＳは信号を含まない。さらに、タイムスロットＴＳは、タイムスロットＴＳにおいて信号が送信されないけれども、技術文献において、ガードインターバルとよばれる場合があると留意すべきである。
【００２４】
図２は、ガードインターバルの追加使用を伴う先行技術によるＳ１，Ｓ２，Ｓ３からなるプライマリ情報信号の更なる時間的構造を図１と同様に示し、ガードインターバルは、少なくとも一部分に情報信号成分を含み、すなわち、シンボルＳ１の前、シンボルＳ１，Ｓ２間、および、シンボルＳ２，Ｓ３間であり、ガードインターバルＧＩ１，ＧＩ２，ＧＩ３は、タイムスロットＴＳ内に配置されている。図１とは対照的に、ガードインターバルＧＩ１，ＧＩ２，ＧＩ３は、少なくとも一部分に信号成分が含まれる。ガードインターバルＧＩ１，ＧＩ２，ＧＩ３は、通常、シンボルＳ１，Ｓ２，Ｓ３の一端の一部を含み、例えば、シンボルＳ１，Ｓ２，Ｓ３全体を導出するための自己相関方法のために使用される。
【００２５】
図３は、ガードインターバルＧＩ１´，ＧＩ２´，ＧＩ３´およびＧＩ１´´，ＧＩ２´´，ＧＩ３´´を用いた２つのプライマリ情報信号Ｓ１´，Ｓ２´，Ｓ３´およびＳ１´´，Ｓ２´´，Ｓ３´´の同期式伝送の時間的構造を図２と同様に示し、プライマリ情報信号Ｓ１´，Ｓ２´，Ｓ３´およびＳ１´´，Ｓ２´´，Ｓ３´´のそれぞれの送信は、別個の送信機を用いて実行される。ガードインターバルＧＩ１´，ＧＩ２´，ＧＩ３´およびＧＩ１´´，ＧＩ２´´，ＧＩ３´´は、異なる時間で、２つのプライマリ情報信号Ｓ１´，Ｓ２´，Ｓ３´およびＳ１´´，Ｓ２´´，Ｓ３´´が受信機で受信されたときに、Ｓ１´´，Ｓ２´´，Ｓ３´´が重ねられたシンボルＳ１´，Ｓ２´，Ｓ３´が依然として導出され得るようにサイズ決められる。
【００２６】
図４は、先行技術によるガードインターバルＧＩ１´，ＧＩ２´，ＧＩ３´およびＧＩ１´´，ＧＩ２´´，ＧＩ３´´を用いた２つのプライマリ情報信号Ｓ１´，Ｓ２´，Ｓ３´およびＳ１´´，Ｓ２´´，Ｓ３´´のタイムシフト送受信の時間的構造を図３と同様に示す。図４では、タイムオフセットは、プライマリ情報信号Ｓ１´，Ｓ２´，Ｓ３´におけるＧＩ１´，ＧＩ２´，ＧＩ３´を表す、ハッチングされた矩形によって示される。
【００２７】
図５は、図４に基づき、ガードインターバルＧＩ１´，ＧＩ２´，ＧＩ３´およびＧＩ１´´，ＧＩ２´´，ＧＩ３´´を用いた２つのプライマリ情報信号Ｓ１´，Ｓ２´，Ｓ３´およびＳ１´´，Ｓ２´´，Ｓ３´´のタイムシフト送受信の時間的構造を示し、本発明に応じて追加情報信号を送信するための追加時間ウィンドウＡＴＷが図示される。本発明によれば、追加情報信号は、時間ウィンドウＡＴＷにおいて配置されて送信され得る。好ましくは、時間ウィンドウＡＴＷは、シンボルＳ１´，Ｓ２´，Ｓ３´およびＳ１´´，Ｓ２´´，Ｓ３´´を送信するために現在使用されていない時間内にある。
【００２８】
図６は、本発明に係る時間ウィンドウＡＴＷにおいてＤＬ（ダウンリンク）としての追加情報信号の送信を示す。本発明によれば、ＤＬは、シンボルＳ１´，Ｓ２´，Ｓ３´およびＳ１´´，Ｓ２´´，Ｓ３´´とオーバーラップしないエリア内の時間ウィンドウＡＴＷにおいて送信される。本発明によれば、図７に示すように、ＤＬ（ダウンリンク）信号の代わりに、ＵL（アップリンク）信号も、本発明による受信機が、本発明による送信機と同様にＵＬを送信するために時間ウィンドウＡＴＷを使用できるように、送信されてもよい。さらに、本発明によれば、Ｓ１´，Ｓ２´，Ｓ３´およびＳ１´´，Ｓ２´´，Ｓ３´´の送信における一連の時間ウィンドウＡＴＷはまた、ＤＬまたはＵＬの送信について必要になることに応じて、または、任意に使用され得る。
【００２９】
図８は本発明に係る追加の実施形態を示し、プライマリ情報信号のガードインターバルにおいて単一の時間ウィンドウＡＴＷは、ＤＬ（ダウンリンク）およびＵＬ（アップリンク）の送信の両方のために、使用される。この場合、本発明によれば、プライマリ情報信号のガードインターバルにおいて単一ＡＴＷまたは時間範囲は、ＤＬおよびＵＬを組み合わせた送信について、必要になることに応じて、または、任意に使用され得る。
【００３０】
図９は、本発明に係る送信機ＴＲ−ＺＩによる時間ウィンドウＡＴＷにおいて本発明に係る追加情報信号ＺＩの送信を示す。これは、第１送信機ＴＲ１によって送信された第１プライマリ情報信号ＰＩ１および第２送信機ＴＲ２によって送信された第２プライマリ情報信号ＰＩ２の推定のもとで行われる。図９に示されるように、送信されたプライマリ情報信号ＰＩ１，ＰＩ２は、タイムオフセットがある状態で送信機ＴＲ−ＺＩの周囲に到達する。上記のタイムオフセットは送信機ＴＲ−ＺＩ上に到達したプライマリ情報信号ＰＩ２において点線によって表される。本発明によれば、送信機ＴＲ−ＺＩは、オーバーラップの結果得られる時間ウィンドウＡＴＷに追加情報信号ＺＩを適切に配置して送信するように構成されている。これによって、本発明によれば、利用可能な時間ウィンドウＡＴＷを用いた追加情報信号ＺＩのローカル送信がある。さらに、本発明によれば、送信機ＴＲ−ＺＩは、室内など、送信信号ＰＩ１，ＰＩ２から実質的にと遮蔽または切断されたエリア内に配置されることもまたできる。上記のシナリオにおいて、本発明に係る送信機ＴＲ−ＺＩは、プライマリ情報信号を受信するように、時間ウィンドウＡＴＷの各々に追加情報信号を挿入して、プライマリ情報信号および追加情報信号の両方を、その後送信するためにするように構成されている。これは、特に、プライマリ情報信号の受信は可能ではないが、本発明により追加情報信号の追加送信が可能性となるエリアに、本発明に従った更なる使用のシナリオをもたらす。
【００３１】
図１０は、追加情報信号を送信するための、本発明による第１代替例Ａｌｔ．１および第２代替例Ａｌｔ．２に係る送信機ＴＲ−ＺＩを示す。本発明による送信機ＴＲ−ＺＩの第１代替Ａｌｔ．１は、対応するガードインターバルＧＩ１´，ＧＩ２´，ＧＩ３´と共にシンボルＳ１´，Ｓ２´，Ｓ３´を含むプライマリ情報信号ＰＩ１を受信するための受信アンテナＥＡ、および追加時間ウィンドウＡＴＷにおいて追加情報信号ＺＩを送信するための送信アンテナＳＡを含み、これによって、検出した追加時間ウィンドウＡＴＷに応じて、追加情報信号ＺＩを送信する。送信機ＴＲ−ＺＩは、追加情報信号ＺＩを受信して処理するための入力ＺＩを有し、入力ＺＩは、送信機ＴＲ−ＺＩ内で実現された入力として把握され、具体的には、所望の記憶、または、供給された送信機ＴＲ−ＺＩへの追加情報信号をメモリからの追加情報信号に供給するように構成された内部入力として把握される。さらに、送信機ＴＲ−ＺＩは、検出部Ｄｅｔｅｃｔ−ＡＴＷを有し、検出部Ｄｅｔｅｃｔ−ＡＴＷは、プライマリ情報信号において追加時間ウィンドウＡＴＷを検出してＺＩ（Ｄｅｔ）として表されている、検出後の追加情報信号ＺＩのその後の送信を保証するように構成され、適切な時間において無限に送信されるプライマリ情報信号ＰＩ１に加えて、プライマリ情報信号ＰＩ１のガードインターバルＧＩ１´，ＧＩ２´，ＧＩ３´において追加情報信号ＺＩを受信可能とする。本発明に係る第２代替例Ａｌｔによる送信機ＴＲ−ＺＩは、追加時間ウィンドウＡＴＷを検出するためだけでなく、受信されたプライマリ情報信号ＰＩ１を使用するように構成され、ＰＩ１，ＺＩ，／ＺＩ（Ｄｅｔ）からなる完全に新たな情報信号を生成して送信するために、追加情報信号ＺＩを追加した後、少なくとも個々のシンボルＳ１´，Ｓ２´，Ｓ３´を、プライマリ情報信号ＰＩ１から導出するために、そしてプライマリ情報信号ＰＩ１が使用される。この場合、第２代替例Ａｌｔによる送信機ＴＲ−ＺＩは、ＰＩ１＋ＺＩとして表されている、プライマリ情報信号ＰＩ１および追加情報信号ＺＩの一部分からなる情報信号を、出力として、供給する生成部ＧＥＮを含む。それゆえ、追加情報信号ＺＩを送信するための本発明による２つの代替例Ａｌｔ．１，Ａｌｔ．２があり、第１代替例Ａｌｔ．１は、追加情報信号ＺＩまたはガードインターバルを送信するための適切な時間を検出するのみであり、第２代替例は、少なくともシンボルＳ１´，Ｓ２´，Ｓ３´が導出され、追加情報信号ＺＩの対応するシンボルまたはデータが追加され、新たな情報信号が、これによって形成されて送信されるように更にプライマリ情報信号ＰＩを処理する。追加情報信号ＺＩはこの後ＧＩ１´，ＧＩ２´，ＧＩ３´において配置された特定のエリア内に配置される。
【００３２】
図１１は、図１０に示される、本発明に係る第１代替例Ａｌｔ．１による送信機ＴＲ−ＺＩを示し、送信機ＴＲ−ＺＩは建物Ｇ内に配置される。外側からのプライマリ情報信号ＰＩは建物Ｇの内部で減衰されて受信されるか、または、全く受信されない。しかしながら、この場合、図１０に示されるように、プライマリ情報信号ＰＩは、受信アンテナＥＡを用いてＴＲ−ＺＩによって受信され、送信機ＴＲ−ＺＩに供給される。送信された情報信号ＰＩ１＋ＺＩは、その後、検出部ＤｅｔｅｃｔＡＴＷを用いて時間内に追加情報信号ＺＩを無線で送信することによって提供される。説明を完全なものにするべく、また、本発明による第２代替例Ａｌｔ．２による送信機も、図１０に示されるように、使用され得ることを指摘しておく。
【００３３】
図１２は、受信されたプライマリ情報信号Σ（ＰＩ１，ＰＩ２）および追加情報信号ＺＩを処理するための本発明による受信機ＲＥの構造を概略的に示す。この場合、図１２に示されるように、プライマリ情報信号ＰＩ１，ＰＩ２は、複数の送信機によって送信され、本発明によると、追加情報信号ＺＩは、少なくとも１または複数のプライマリ情報信号ＰＩ１，ＰＩ２で送信され、上記の信号は、同時に受信機ＲＥに到達せず、時間オフセットがある状態で、重畳信号Σ（ＰＩ１＋ＺＩ，ＰＩ２＋ＺＩ）として到達すると仮定される。本発明による受信機ＲＥは、重畳されたプライマリ情報信号Σ（ＰＩ１，ＰＩ２）および追加情報信号ＺＩの両方が、検出され、導出され、処理され得るように、信号について別個の処理を実行するように構成されている。上記の処理段階は、概して各ブロックにおいて、ＤｅｔｅｃｔΣ（ＰＩ１，ＰＩ２），ＰｒｏｃｅｓｓΣ（ＰＩ１，ＰＩ２），ＤｅｔｅｃｔＺＩおよびＰｒｏｃｅｓｓＺＩと表されている。さらに、本発明による受信機ＲＥは、Σ（ＰＩ１，ＰＩ２）及び／またはＺＩから選択させるためのスイッチ（不図示）を有する。これによって、更なる処理及び／または提供のために、受信された信号Σ（ＰＩ１，ＰＩ２）及び／またはＺＩから自動または手動で選択することが実現できる。
【図１】
2020530668.tif 000003
【図２】
2020530668.tif 000004
【図３】
2020530668.tif 000005
【図４】
2020530668.tif 000006
【図５】
2020530668.tif 000007
【図６】
2020530668.tif 000008
【図７】
2020530668.tif 000009
【図８】
2020530668.tif 000010
【図９】
2020530668.tif 000011
【図１０】
2020530668.tif 000012
【図１１】
2020530668.tif 000013
【図１２】
2020530668.tif 000014
【国際調査報告】
2020530668.tif 000015
2020530668.tif 000016
2020530668.tif 000017
2020530668.tif 000018